(57)【要約】      （修正有）【課題】精神的な興奮を高めることができる射精促進装置のホルダを提供する。【解決手段】射精促進装置を取り付け可能なホルダであって、表示部１１が設けられたカバー部材１０と、カバー部材内に収納されるクッション部材２０とを備え、カバー部材およびクッション部材は、基部１０ｂ・２０ｂと、基部の下端部に連続して設けられた一対の延設部１０ｃ・２０ｃとからなり、クッション部材の基部２０ｂには、両延設部の付け根間に位置する部位に、射精促進装置が設置される設置穴２１が内部へ向かって形成され、カバー部材の基部１０ｂには、射精促進装置を露出する開口部１２が形成されている。【選択図】図１
0003215514.tif 000002
【実用新案登録請求の範囲】
【請求項１】
射精促進装置を取り付け可能なホルダであって、表示部が設けられたカバー部材と、このカバー部材内に収納されるクッション部材とを備え、前記カバー部材および前記クッション部材は、基部と、この基部の下端部に連続して設けられた一対の延設部とからなり、前記クッション部材の前記基部には、前記両延設部の付け根間に位置する部位に、前記射精促進装置が設置される設置穴が内部へ向かって形成され、前記カバー部材の基部には、前記射精促進装置を露出する開口部が形成されていることを特徴とする射精促進装置のホルダ。
【請求項２】
前記クッション部材には、前記設置穴に設置された前記射精促進装置を固定する固定手段が設けられていることを特徴とする請求項１に記載の射精促進装置のホルダ。
【請求項３】
前記固定手段は、前記設置穴の周囲に設けられる締め付け紐であり、この締め付け紐は、紐体と、この紐体が挿通されるチューブ状のガイドによって構成されていることを特徴とする請求項２に記載の射精促進装置のホルダ。
【請求項４】
前記クッション部材は、伸縮性を有する外袋を有していることを特徴とする請求項１ないし請求項３の何れかに記載の射精促進装置のホルダ。
【請求項５】
前記外袋は、２ＷＡＹトリコット又はスムースニットにより形成されていることを特徴とする請求項４に記載の射精促進装置のホルダ。
【請求項６】
前記表示部には、女性の写真又は女性のキャラクターが印刷されていることを特徴とする、請求項１ないし請求項５の何れかに記載の射精促進装置のホルダ。
【考案の詳細な説明】
【技術分野】
【０００１】
本考案は、射精促進装置を取り付け可能な射精促進装置のホルダに関し、特に、使用者の性的興奮を高めることができる射精促進装置のホルダに関する。
【背景技術】
【０００２】
従来より、医学的な研究や治療上の必要から男性の精子を採取するためや、個人的な性的欲求を解消させるために、様々な射精促進装置が提供されている。
【０００３】
この射精促進装置としては、容器内に陰茎を挿入し、使用者が容器を前後方向に動かして陰茎を摺擦してマッサージすることにより射精を促進させるもの（特許文献１）や、女性の骨盤部，性器，臀部をほぼ実物大に模したものを静止させておいて陰茎を出し入れするもの（特許文献２）、等が知られている。
【先行技術文献】
【特許文献】
【０００４】
【特許文献１】特開２００６−３３４１７６号公報
【特許文献２】特表２０１４−５２７４５２号公報
【考案の概要】
【考案が解決しようとする課題】
【０００５】
ところで、射精を促進する上で重要な要素となるのが、陰茎への物理的な刺激と、使用者の精神的な興奮である。この精神的な興奮が射精に密接に関連していることは、夢精のように陰茎に物理的刺激を与えず、精神的な興奮だけでも射精が起こりうることからも、容易に理解できる。そのため、精神的な興奮を高めることにより、効率よく精子を採取することができ、個人的な満足感も高まると考えられる。
【０００６】
そこで、本考案者は、物理的な刺激とともに精神的な興奮を高める器具について鋭意検討した結果、射精促進装置を抱き心地の良い（肌触りの良い）クッション製ホルダに設置し、このホルダの外表面に女性をモチーフとしたデザインを表示することにより、使用者の精神的な興奮を高めることができるという着想を得た。
【０００７】
本考案は、上記実情に鑑み、精神的な興奮を高めることができる射精促進装置のホルダを提供することを課題とする。
【課題を解決するための手段】
【０００８】
上記課題を解決するため、本考案に係る射精促進装置のホルダは、射精促進装置を取り付け可能なホルダであって、表示部が設けられたカバー部材と、このカバー部材内に収納されるクッション部材とを備え、前記カバー部材および前記クッション部材は、基部と、この基部の下端部に連続して設けられた一対の延設部とからなり、前記クッション部材の前記基部には、前記両延設部の付け根間に位置する部位に、前記射精促進装置が設置される設置穴が内部へ向かって形成され、前記カバー部材の基部には、前記射精促進装置を露出する開口部が形成されていることを特徴としている。
【０００９】
このように、カバー部材の開口部から陰茎を射精促進装置に挿入可能な構成とすることにより、カバー部材の表示部を視界に入れながら陰茎をマッサージすることができる。
また、前記開口部が前記両延設部の付け根間に形成されていることにより、前述した陰茎の挿入時に、前記両延設部を脚として扱う体感が得られる。
【００１０】
このような構成としたことにより、射精促進装置による陰茎への物理的な刺激を与えつつ、表示部の視覚的な効果や、両延設部の体感的な効果によって、使用者の精神的な興奮を高めることができる。
【００１１】
本考案の好ましい形態では、前記クッション部材は、前記設置穴に前記射精促進装置を固定する固定手段をさらに有することを特徴とする。
このように、固定手段を設けることで射精促進装置が容易に外れてしまうことを抑制することができる。
【００１２】
本考案の好ましい形態では、前記固定手段は、前記設置穴の周囲に設けられる締め付け紐であり、この締め付け紐は、紐体と、この紐体が挿通されるチューブ状のガイドを有していることを特徴とする。
このように、固定手段は、紐体とガイドを有する締め付け紐を採用することにより、射精促進装置が外れてしまうことを抑制することができる固定手段を容易に取り付けることができる。
【００１３】
本考案の好ましい形態では、前記クッション部材は、伸縮性を有する外袋を有していることを特徴とする。
このように、伸縮性を有する外袋を有していることにより、ホルダの肌触りを良くして、使用者の精神的な興奮を高めることができる。
【００１４】
本考案の好ましい形態では、前記表示部には、女性の写真又は女性のキャラクターが印刷されていることを特徴とする。
このように、表示部には女性の写真やキャラクターを印刷することにより、さらに使用者の精神的な興奮を高めることができる。
【考案の効果】
【００１５】
本考案は、精神的な興奮を高めることができる射精促進装置のホルダを提供することができる。
【図面の簡単な説明】
【００１６】
【図１】本考案の一実施形態に係る射精促進装置のホルダの外観図である。
【図２】本考案の一実施形態に係る射精促進装置のホルダの外観図である。
【図３】本考案の一実施形態に係る射精促進装置のホルダの分解斜視図である。
【図４】本考案の一実施形態に係る射精促進装置のホルダを構成するクッション部材の一部拡大図である。
【図５】本考案の一実施形態に係る射精促進装置のホルダを構成するカバー部材の一部拡大図である。
【図６】本考案の他の実施形態を示すクッション部材の斜視図である。
【考案を実施するための形態】
【００１７】
以下、本考案を図面に示した好ましい一実施形態について、図１ないし図５を用いて詳細に説明する。本考案の技術的範囲は、添付図面に示した実施形態に限定されるものではなく、実用新案登録請求の範囲に記載された範囲内において、適宜変更が可能である。
【００１８】
本考案の一実施形態に係る射精促進装置のホルダは、射精促進装置ＳＳを取り付け可能なホルダであって、表示部１１を有したカバー部材１０と、このカバー部材１０内に収納されるクッション部材２０とを備えている。
【００１９】
前記カバー部材１０は、図１ないし図３に示すように、上端部にクッション部材２０を収納可能な開口１０ａを有する袋状に形成されており、前記開口１０ａが形成された基部１０ｂと、この基部１０ｂの下端部に連続して設けられた一対の延設部１０ｃとを備えている。
【００２０】
また、前記カバー部材１０は、その表面に設けられる表示部１１と、前記クッション部材２０内に配置される射精促進装置ＳＳを露出する開口部１２とを有している。
【００２１】
前記表示部１１には、例えば、女性の写真やキャラクター等、射精促進装置ＳＳの使用者が性的な興奮を覚えるような印刷が施されていることが望ましい。
【００２２】
本実施形態においては、前記表示部１１が、前記基部１ｂから両延設部１０ｃへかけて設けられており、前記基部１０ｂの表示部１１には、股上の胴部が施され、前記延設部１０ｃの表示部１１には脚部が施されている。
【００２３】
この表示部１１は、カバー部材１０の表裏に設けることができ、それぞれ異なるデザインを印刷することが可能である。例えば、表面には女性キャラクターの正面側が印刷され、裏面には女性キャラクターの背面側が印刷されている。
【００２４】
前記開口部１２は、前記基部１０ｂの前記両延設部１０ｃの付け根間に位置する部位に設けられており、前記クッション部材２０に設置された射精促進装置ＳＳが露出可能な位置・大きさに形成されている。
【００２５】
そのため、この開口部１２に使用者の陰茎を挿入することで、クッション部材２０に設けられた後述する設置穴２１に設置された射精促進装置ＳＳに陰茎が挿入されるよう構成されている。
【００２６】
前記開口１０ａは、クッション部材２０が入る大きさに設定されており、カバー部材１０の縁部に設けられていることが望ましい。この開口１０ａには、ファスナーやスナップボタン等の固定部材を設けることができる。
【００２７】
前記クッション部材２０は、図１ないし図４に示すように、前記カバー部材１０の基部１０ｂ内に収納される基部２０ｂと、この基部２０ｂの下端部に連続して設けられ、前記カバー部材１０の各延設部１０ｃに収納される一対の延設部２０ｃが設けられている。
【００２８】
そして、前記基部２０ｂの、前記両延設部２０ｃの付け根間に位置する部位に、射精促進装置ＳＳが設置される設置穴２１が形成されている。
【００２９】
この設置穴２１は、射精促進装置ＳＳが挿入可能な大きさに形成されており、カバー部材１０に収納した際に、このカバー部材１０に形成されている開口部１２が重畳させられることにより、この開口部１２から射精促進装置ＳＳが露出されるようになっている。
【００３０】
そして、前記クッション部材２０には、例えば、天然又は合成繊維からなる綿、合成樹脂からなるパイプ状ビーズ、発泡樹脂からなるビーズ、合成樹脂製又はゴム製のスポンジ、羽毛、穀類の殻、木製又はコルク製の粒状体等、通常のクッションや抱き枕に使用される材料が採用される。
また、このクッション部材２０の基部２０ｂは、人がうずくまった程度の大きさに形成されており、使用者が抱き着くことができる大きさに設定されている。
【００３１】
本考案によれば、伸縮性を有したクッション部材２０に射精促進装置ＳＳを設置可能な設置穴２１を形成したことにより、肌触りの良いクッション部材２０を抱きながら、陰茎に物理的な刺激を与えることができる。すなわち、特許文献１に記載されたような概略円筒状の射精促進装置ＳＳをクッション部材２０に設置することにより、クッション部材２０を前後運動させて陰茎をマッサージしたり、クッション部材２０を静止させて陰茎を出し入れしたりと、使用者の好ましい体位で陰茎をマッサージすることができる。このように、様々な体位でマッサージを行うことにより、使用者の精神的な興奮を高めることができる。
【００３２】
また、本考案によれば、カバー部材１０の表示部１１に、好みの女性やキャラクター等を印刷することにより、精神的な興奮を高めることができる。
さらに、その時の気分にあったデザインのカバー部材１０に交換することにより、さらに精神的な興奮を高めることができる。
【００３３】
さらに、前記カバー部材１０やクッション部材２０に一対の延設部１０ｃ・２０ｃをそれぞれ設け、これらの延設部１０ｃ・２０ｃの表示部１１に、女性やキャラクター等の脚を印刷しておくことにより、これらの延設部１０ｃ・２０ｃを使用者に脚として意識させることができ、この点からも、使用者の精神的若しくは感覚的な興奮を高めることができる。
【００３４】
なお、前記実施形態において、前記設置穴２１に射精促進装置を固定する締め付け紐（固定手段の一例）を設けたり、前記クッション部材２０を、市販のクッションや抱き枕に採用される伸縮性を有する外袋によって覆うようにしてもよい。
【００３５】
この外袋は、肌触りの良い伸縮性を有する素材で形成されていればよく、例えば、ポリエステル繊維やポリウレタン繊維が採用される。特に、２ＷＡＹトリコットと呼ばれる縦方向と横方向の両方に伸びるトリコット編みの生地や、スムースニットと呼ばれる一方向に伸びるニット生地が好ましく用いられる。この他にも、肌触りの良い材料であれば当然に使用することができる。
【００３６】
このように、伸縮性のある外袋によってクッション部材２０を覆うことにより、設置穴２１内の側壁は設置穴２１の開口を狭めるように収縮する。
そのため、設置穴２１に射精促進装置ＳＳを設置（挿入）した場合には、設置穴２１内の側壁が射精促進装置ＳＳを周囲から締め付けるようにして固定される。
【００３７】
また、射精促進装置ＳＳに陰茎を出し入れする間に、射精促進装置ＳＳが摩擦によって移動し、設置穴２１から外れてしまう可能性がある。
そのために前述した固定手段としての締め付け紐を設けて、射精促進装置ＳＳが移動することを抑制する。
【００３８】
前記締め付け紐は、たとえば、射精促進装置ＳＳの移動を抑制する固定手段の一例であり、紐体と、この紐体が挿通されたチューブ状のガイドとによって構成される。
【００３９】
このチューブ状のガイドが、設置穴の周囲に沿って配置されており、このガイドに挿通された紐体を引き絞ることで、締め付け紐の径を狭めることができる。そして、この締め付け紐によって、射精促進装置ＳＳの側面部を強く締め付けたり、射精促進装置ＳＳの径よりも小さく狭めることにより、射精促進装置ＳＳが外れてしまうことを抑制することができる。
【００４０】
そして、このガイドは、縫い付けや接着剤などの接着手段によってクッション部材２０の表面や設置穴２１の内面に容易に取り付けることができる。
【００４１】
前記固定手段として締め付け紐を例示したが、射精促進装置ＳＳを固定可能な構成であれば、当然に採用することができる。例えば、ゴム等の弾性材料で挟む構成を採用してもよいし、ネジやナットによって固定する構成にしてもよい。
また、締め付け紐は、設置穴２１の入り口付近以外に、設置穴２１内に設けることも当然に可能である。
【００４２】
さらに、図６に示すように、基部３０ｂと延設部３０ｃを備えたクッション部材３０を、たとえば，塩化ビニール等の気密性を有する材料を用いて袋状に形成するとともに、このクッション部材３０の適宜位置に空気注入部３１を設けた構成とすることもできる。
【００４３】
このような構成とすることにより、前記空気注入部３１から空気を注入して前記クッション部材３０を膨らまし、その形状が所定形状となった時点で前記空気注入部３１を閉じることにより、前記基部３０ｂと前記延設部３０ｃとを備えたクッション部材３０とすることができる。
【００４４】
そして、封入された空気の伸縮により、前記クッション部材３０に適度のクッション性を与えることができる。
【００４５】
また、このような構成とすることにより、前記クッション部材３０に設けられた前記設置穴２１が、前記封入された空気の圧力により縮径方向に押圧される。
【００４６】
これによって、前記設置穴２１に装着される前記射精促進装置ＳＳの外周に前記設置穴２１の内面が押しつけられる。
したがって、前記封入された空気の圧力が、前記射精促進装置ＳＳを固定するための固定手段として作用し、前述した実施形態において示した締め付け紐等の別個に設ける固定手段を省略することができる。
【符号の説明】
【００４７】
１０  カバー部材
１０ａ  開口
１０ｂ  基部
１０ｃ  延設部
１１  表示部
１２  開口部
２０  クッション部材
２０ｂ  基部
２０ｃ  延設部
２１  設置穴
３０  クッション部材
３０ｂ  基部
３０ｃ  延設部
３１  空気注入部
ＳＳ  射精促進装置
【図１】
0003215514.tif 000003
【図２】
0003215514.tif 000004
【図３】
0003215514.tif 000005
【図４】
0003215514.tif 000006
【図５】
0003215514.tif 000007
【図６】
0003215514.tif 000008